(57)【要約】【課題】上顎臼歯部の歯牙欠損時に歯牙再生術を行なうため、上顎臼歯部に人工歯根を埋入する際の上顎洞底挙上術において、上顎洞底骨の骨折挙上の安全確実性の向上により、歯牙再生治癒期間の短縮化が可能となる上顎洞底挙上術用器具を提供する。【解決手段】槌打部分（６）に開口する共鳴用穴（５）を設ける。さらに、共鳴用穴（５）の軸方向に垂直な断面の形状が、円、楕円または多角形であったり、異なる深さで、同じか、または異なっていたり、異なる深さで、相似的に異なるように、変化させることができる。さらに、共鳴用穴（５）の内側面は、直線を回転軸とする回転面であるか、または、任意に傾斜する曲面としてもよい。さらに、共鳴用穴（５）を、複数としてもよい。【選択図】図１
2007215912.tif 000002
【特許請求の範囲】
【請求項１】
取手と先端部を有し、該取手の端部に設けられた槌打部を槌打することにより、該先端部により骨が円形に貫通するように骨折させる施術に用いる施術用器具であり、前記槌打部に開口し、該取手の軸方向に伸長する共鳴用穴を備えることを特徴とする施術用器具。
【請求項２】
前記共鳴用穴の軸方向に垂直な断面の形状が、円、楕円または多角形であることを特徴とする請求項１に記載の施術用器具。
【請求項３】
前記共鳴用穴の軸方向に垂直な断面の形状が、異なる深さで、同じか、または異なることを特徴とする請求項１または２に記載の施術用器具。
【請求項４】
前記共鳴用穴の軸方向に垂直な断面の形状が、異なる深さで、相似的に異なることを特徴とする請求項１から３のいずれかに記載の施術用器具。
【請求項５】
前記共鳴用穴の内側面は、直線を回転軸とする回転面であるか、または、任意に傾斜する曲面であることを特徴とする請求項１から４のいずれかに記載の施術用器具。
【請求項６】
前記共鳴用穴を複数設けていることを特徴とする請求項１から５のいずれかに記載の施術用器具。
【請求項７】
上顎洞底挙上術に用いることを特徴とする請求項１から６のいずれかに記載の施術用器具。
【発明の詳細な説明】
【技術分野】
【０００１】
本発明は、特に、歯牙のう触、歯周病あるいは歯列矯正等による歯牙欠損、または治療のために抜歯を行なった際の歯牙再生術として、上顎臼歯部に人工歯根の埋入を施す際に、上顎骨臼歯部が骨吸収等により骨高さの不足が生じた場合に行なう上顎洞底挙上術に使用する上顎洞底挙上術用器具に関する。
【背景技術】
【０００２】
上顎骨に埋入する人工歯根に対し、上顎骨臼歯部の骨高さの不足が生じている症例には、上顎洞底挙上術を施す必要が有り、例えば、米国特許第５９６１３２９号公報には、人工歯根およびその人工歯根床の形成方法が記載されている。
【０００３】
図２は、上顎洞底挙上術を行う状態を示す断面図である。図３および図４は、従来の上顎洞底挙上術用器具を示す斜視図である。
【０００４】
図示したように、人工歯根床（８）を形成しようとする部分の上顎骨（１３）は、歯冠（１４）および歯根（１５）が健康である部分の上顎骨（１３）と比較して、上顎骨臼歯部の骨高さが不足している場合がある。
【０００５】
従来の上顎洞底挙上術用器具の一実施例としては、器具先端部（１）から、屈曲部（２）および屈曲部（３）を経由し、端部が平面形状あるいは球面形状である槌打部（１８）が設けられた器具取手（１７）までが一体に構成される。器具先端部（１）には、器具先端凹部（７）が形成されている。このような上顎洞底挙上術用器具は、例えば特開２００３−１９９７７３号公報に記載されている。
【０００６】
上顎洞底挙上術の施術時には、例えば、特表２００３−８４４２６号公報に記載されているようなインプラント用のドリルを使用して、上顎骨（１３）に対して人口歯根床（８）を穿孔し、上顎洞底骨（９）を薄く残した状態とする。その後、人口歯根床（８）に器具先端部（１）を挿入し、槌打部（１８）を、図示しない槌にて槌打することにより、上顎骨（１３）が円形に貫通するように骨折させて、上顎洞粘膜（１１）と共に上顎洞（１６）内への挙上を行なう。従って、上顎洞底骨（９）は、上顎洞底骨（１０）の位置に到る。
【０００７】
その後、骨補填材（１２）を補填する。
【０００８】
しかし、槌打部（１８）を槌打する加減は、術者の経験と感に頼らざるを得ず、上顎洞粘膜（１１）を突き破ることがあるという問題があった。
【０００９】
また、上顎骨（１３）が骨折に到らず、槌打しただけの時の手の感覚と、上顎骨（１３）が円形に貫通するように骨折する瞬間の手の感覚との間には、大きな差異がなく、そのため、槌打部（１８）を通じて感じる槌打感に生じる変化が、術者には察知し辛いという問題があった。
【００１０】
以上のように、上顎洞底挙上術の施術には、多大な時間が必要であり、術者に高度な技術が要求されていた。
【００１１】
【特許文献１】米国特許第５９６１３２９号公報
【００１２】
【特許文献２】特開２００３−１９９７７３号公報
【００１３】
【特許文献３】特表２００３−８４４２６号公報
【発明の開示】
【発明が解決しようとする課題】
【００１４】
本発明の目的は、上顎臼歯部の歯牙欠損時に歯牙再生術を行なうため、上顎臼歯部に人工歯根を埋入する際の上顎洞底挙上術において、上顎洞底骨の骨折挙上の安全性および確実性の向上により、歯牙再生治癒期間の短縮化を可能とする上顎洞底挙上術用器具を提供することにある。
【課題を解決するための手段】
【００１５】
本発明の上顎洞底挙上術に用いる施術用器具は、取手と先端部を有し、該取手の端部に設けられた槌打部を槌打することにより、該先端部により骨が円形に貫通するように骨折させる施術に用いる施術用器具であり、前記槌打部に開口し、該取手の軸方向に伸長する共鳴用穴を備える。
【００１６】
さらに、前記共鳴用穴の軸方向に垂直な断面の形状が、円、楕円または多角形であることが望ましい。
【００１７】
さらに、前記共鳴用穴の軸方向に垂直な断面の形状が、異なる深さで、同じか、または異なることが望ましい。
【００１８】
さらに、前記共鳴用穴の軸方向に垂直な断面の形状が、異なる深さで、相似的に異なることが望ましい。
【００１９】
さらに、前記共鳴用穴の内側面は、直線を回転軸とする回転面であるか、または、任意に傾斜する曲面であることが望ましい。
【００２０】
さらに、前記共鳴用穴が、複数であることが望ましい。
【００２１】
なお、本発明は、上顎洞底挙上術、および骨が円形に貫通するように骨折させる整形分野の施術用器具に適用することが可能である。
【発明の効果】
【００２２】
本発明の上顎洞底挙上術用器具を上顎洞底挙上術に使用することにより、安全かつ正確な上顎洞底骨の挙上が可能となり、結果として手術時間の短縮が図れ、患者への肉体的および精神的な負担が軽減でき、さらに、費用の軽減も可能になるという効果が得られる。
【発明を実施するための最良の形態】
【００２３】
本発明について、図面を参照して、説明する。
【００２４】
図１は、本発明の上顎洞底挙上術用器具の一実施例を示す一部破断斜視図である。
【００２５】
本発明の上顎洞底挙上術用器具は、器具先端部（１）から、屈曲部（２）および屈曲部（３）を経由し、端部が平面形状あるいは球面形状である槌打部（６）が設けられた器具取手（４）までが一体に構成される。槌打部（６）には、槌打時の槌打音を反響させるために、槌打する部分に開口する共鳴用穴（５）を開けている。また、屈曲部（２）および屈曲部（３）を設けずに、器具先端部（１）から器具取手（４）までが、直線状に構成されたり、あるいは湾曲状に構成されていても構わない。
【００２６】
また、器具取手（４）の材質は、周知の金属、合金および合成樹脂などから選択すればよく、例えば、チタンまたはチタン合金を例示することができる。
【００２７】
さらに、共鳴用穴（５）の軸方向に垂直な断面の形状は、円、楕円または多角形としたり、異なる深さで、同じか、または異なっていたり、異なる深さで、相似的に異なるように、本発明の主旨内で変化させることができる。さらに、前記共鳴用穴（５）の内側面は、直線を回転軸とする回転面であるか、または、任意に傾斜する曲面としてもよいし、共鳴用穴（５）が、複数であってもよい。したがって、発せられる音の変化が識別しやすいように、共鳴用穴（５）の形状および数を決定する。
【００２８】
本発明の上顎洞底挙上術用器具を使用して行う上顎洞底挙上術の施術時には、従来と同様、図２に示すように、上顎骨（１３）に対して人口歯根床（８）を穿孔し、上顎洞底骨（９）を薄く残した状態とする。その後、人口歯根床（８）に器具先端部（１）を挿入し、槌打部（６）を、図示しない槌にて槌打することにより、上顎骨（１３）が円形に貫通するように骨折させて、上顎洞粘膜（１１）と共に上顎洞（１６）内への挙上を行なう。従って、上顎洞底骨（９）は、上顎洞底骨（１０）の位置に到る。
【００２９】
その後、骨補填材（１２）を補填する。
【００３０】
したがって、上顎骨（１３）が骨折に到らず、槌打しただけの時の共鳴用穴（５）から発せられる音と、上顎骨（１３）が円形に貫通するように骨折する瞬間に共鳴用穴（５）から発せられる音との間に、明確な差異が生じ、このような音の変化により、上顎骨（１３）が骨折した瞬間に、槌打を終了することが容易となる。
【産業上の利用可能性】
【００３１】
また、本発明は、上顎洞底挙上術以外にも、骨を円形に貫通することにより骨折させる施術に利用することが可能であり、例えば整形の分野における施術にも適用することが可能である。
【図面の簡単な説明】
【００３２】
【図１】本発明の上顎洞底挙上術用器具の一実施例を示す一部破断斜視図である。
【図２】上顎洞底挙上術を行う状態を示す断面図である。
【図３】従来の上顎洞底挙上術用器具を示す斜視図である。
【図４】従来の上顎洞底挙上術用器具を示す斜視図である。
【符号の説明】
【００３３】
１  器具先端部
２、３  屈曲部
４、１７  器具取手
５  共鳴用穴
６、１８  槌打部
７  器具先端凹部
８  人工歯根床
９、１０  上顎洞底骨
１１  上顎洞粘膜
１２  骨補填材
１３  上顎骨
１４  歯冠
１５  歯根
１６  上顎洞
【図１】
2007215912.tif 000003
【図２】
2007215912.tif 000004
【図３】
2007215912.tif 000005
【図４】
2007215912.tif 000006